(57)【要約】【課題】  実際にプリントした場合に予想どおりの仕上がりとなってない場合がある。その原因としては、例えば撮影者の思惑から外れてプリンタ側で誤った補正をかけてしまった場合や、その撮影画像自体が適正な露出での撮影がなされていなかった場合などの要因が考えられる。【解決手段】  上記の課題を解決するため、撮影時条件に応じた撮影データと、撮影された画像データを取得するための画像データ取得手段と、撮影データおよび画像データより補正値を決定するための補正値決定手段と、補正値決定手段より得られた補正値を用いて画像補正を行うための画像補正手段と、画像補正手段により補正された画像データをプリント部でプリントさせるためのプリント制御手段を有することを特徴とするプリント装置を開示する。【選択図】  図１
2006231863.tif 000002
【特許請求の範囲】
【請求項１】
撮影時条件に応じた撮影データと、撮影された画像データを取得するための画像データ取得手段と、
前記撮影データおよび前記画像データより補正値を決定するための補正値決定手段と、
前記補正値決定手段より得られた補正値を用いて画像補正を行うための画像補正手段と、
前記画像補正手段により補正された前記画像データをプリント部でプリントさせるためのプリント制御手段を有することを特徴とするプリント装置。
【請求項２】
前記撮影データは、前記撮影データに対する画質調整の目標値を含むことを特徴とする請求項１に記載のプリント装置。
【請求項３】
前記撮影データは、絞り、シャッタースピード、ＩＳＯ感度、Ｔｖ値、露出補正値、フラッシュ発光量、撮影シーン情報、測光重み情報、レンズによる周辺光量落ちデータもしくは光量落ち補正データ、レンズの光軸ずれ情報・ＭＴＦ（解像感）・画像ガンマ情報・カメラ調整値・レンズ特性、画像周辺色落ちデータもしくは画像周辺色落ち補正データ、メーカー・機種名・記録画素数・ファイル圧縮率、人物の顔位置情報、顔領域情報、着脱交換可能なレンズの名称またはレンズ種類またはレンズ特性情報、カメラ縦横センサ判別情報の少なくとも１つを含むことを特徴とする請求項１または２に記載のプリント装置。
【請求項４】
さらに、前記画像補正手段は、インクの熱特性または色特性、紙の色情報、ヘッド特性のうちの少なくとも１つを含むプリンタ特性情報に応じて画像補正することを特徴とする請求項１ないし３のいずれか１項に記載のプリント装置。
【請求項５】
撮影時条件に応じた撮影データと、撮影された画像データを取得するための画像データ取得工程と、
前記撮影データおよび前記画像データより補正値を決定するための補正値決定工程と、
前記補正値決定工程より得られた補正値を用いて画像補正を行うための画像補正工程と、
前記画像補正工程により補正された前記画像データをプリント部でプリントさせるためのプリント制御工程を有することを特徴とするプリント装置の制御方法。
【請求項６】
撮影された画像データと、前記画像データに対する画質調整の目標値を取得するためのデータ取得手段と、
前記データ取得手段で取得された前記画像データ及び前記目標値を記録媒体に記録する記録手段と、
前記記録媒体に記録されている前記画像データ及び前記目標値を読み出して、外部装置に送信する送信手段とを有することを特徴とする画像処理装置。
【請求項７】
さらに、撮影時の撮影条件データを取得する撮影条件取得手段を有し、
前記記録手段は前記撮影条件データを前記画像データに関連付けて記録するとともに、前記送信手段は前記画像データ及び前記目標値とともに前記撮影条件データを送信することを特徴とする請求項６に記載の画像処理装置。
【請求項８】
撮影された画像データと、前記画像データに対する画質調整の目標値を取得するためのデータ取得工程と、
前記データ取得工程で取得された前記画像データ及び前記目標値を記録媒体に記録する記録工程と、
前記記録媒体に記録されている前記画像データ及び前記目標値を読み出して、外部装置に送信する送信工程とを有することを特徴とする画像処方法。
【請求項９】
さらに、撮影時の撮影条件データを取得する撮影条件取得工程を有し、
前記記録工程は前記撮影条件データを前記画像データに関連付けて記録するとともに、前記送信工程は前記画像データ及び前記目標値とともに前記撮影条件データを送信することを特徴とする請求項８に記載の画像処理方法。
【請求項１０】
請求項２に記載の目標値は撮影条件によって可変な設定値とすることを特徴とする請求項１に記載のプリント装置。
【発明の詳細な説明】
【技術分野】
【０００１】
本発明は撮影データと画像データを用いて最適に画像を補正することを可能にするための撮像装置等の画像処理装置や、例えばプリントするためのプリント装置に関するものである。
【背景技術】
【０００２】
近年、簡単な操作で画像を撮影して、その撮影した画像をデジタル画像データに変換できるデジタルカメラ（撮像装置）が広く使用されるようになってきている。このデジタル画像データはＰＣのディスプレイやＴＶ等で見ることが可能である。またこのようなカメラで撮影した画像を印刷して写真として使用する場合には、通常、その撮影した画像のデジタル画像データを、一旦デジタルカメラからＰＣに取り込み、そのＰＣで画像処理を行った後、そのＰＣからカラープリンタに出力して印刷するのが一般的である。また最近は、ＰＣを介することなく、直接、デジタルカメラからプリンタにデジタル画像データを直接伝送して印刷することができるダイレクトプリントシステムや、デジタルカメラで撮影された画像をメモリカード等のメディアに記憶させ、このメディアを直接プリンタに接続し、撮影された画像を印刷できるプリンタ等も開発されている。
【特許文献１】特開２００４−０１５２３４号公報
【発明の開示】
【発明が解決しようとする課題】
【０００３】
しかしながら、実際にプリントした場合に予想どおりの仕上がりとなってない場合がある。その原因としては、例えば撮影者の思惑から外れてプリンタ側で誤った補正をかけてしまった場合や、その撮影画像自体が適正な露出での撮影がなされていなかった場合などの要因が考えられる。これらはプリンタとカメラ（撮影画像）の間で意思疎通がうまくなされていないためであり、現状のプリンタで印刷した場合には過補正であったり、補正ミスであったりと必ずしも最適な処理を行えるとは言い難い。
【０００４】
例えば、撮影時に行った補正処理がプリンタで認識できないと、過度に補正処理を掛けてプリントする危険性がある。
【０００５】
また、撮影時に適切だと思われる撮影条件で画像データを取得した場合であっても、その機器の動作の不安定さや、例えば露光時間などで調整出来るステップが決められているなどの理由により、目標とする画質が、正確に達成し得ない場合がある。
【０００６】
本発明は上記問題点を省みてなされたものであり、メーカーや機種や性能が異なるカメラで撮影された画像に対しても、撮影データ・画像データを用いて好適でなるべく正確な補正処理および印刷処理を行うための撮像装置および印刷装置に関するものである。
【課題を解決するための手段】
【０００７】
上記の課題を解決するため本発明は、撮影時条件に応じた撮影データと、撮影された画像データを取得するための画像データ取得手段と、撮影データおよび画像データより補正値を決定するための補正値決定手段と、補正値決定手段より得られた補正値を用いて画像補正を行うための画像補正手段と、画像補正手段により補正された画像データをプリント部でプリントさせるためのプリント制御手段を有することを特徴とするプリント装置を開示する。また、撮影された画像データと、画像データに対する画質調整の目標値を取得するためのデータ取得手段と、データ取得手段で取得された画像データ及び目標値を記録媒体に記録する記録手段と、記録媒体に記録されている画像データ及び目標値を読み出して、外部装置に送信する送信手段とを有することを特徴とする画像処理装置を開示する。
【発明の効果】
【０００８】
以上のように、撮影データ・画像データ・プリンタ特性情報を用い、特に画質調整の目標値を画像データに関連付けることで、メーカーや機種が異なる事に基づく補正誤差を減少させ、その画像に好適な画像補正および最適な印刷処理を行うことが可能となる。
【発明を実施するための最良の形態】
【０００９】
＜実施形態１＞
本実施例ではダイレクト接続時にユーザーにより画像補正処理が設定された場合の処理について説明を行う。図１は本発明の実施形態１における撮像装置の概略構成を示すブロック図である。
【００１０】
撮像手段１０１により撮影された画像データ１０２は、撮影データ１０３を撮影データ書き込み手段１０４により、撮影時の撮影条件や、レンズやカメラ本体に固有の情報としてカメラ特性データを添付され、画像記憶装置１０５に記憶される。
【００１１】
また、このとき、カメラ内で行った画像補正に関する情報も、画像データに関連付けて画像記憶装置１０５に記憶させる。
【００１２】
さらには、その画像データに対して理想的と思われる画質調整の目標値も、画像データに関連付けて画像記憶装置１０５に記憶させる。
【００１３】
画像記憶装置１０５から読み出された画像データは画像バッファ１０６に格納される。格納された画像は１１１画像伸張手段によってＪＰＥＧ圧縮から伸張され表示装置１１２に表示される。ユーザインターフェース１０９によって特定画像をプリント指定されると、画像データ送信手段１０７および撮影データ送信手段１０８は画像バッファ１０６から画像を読み出し印刷装置２００に送信する。その際、ユーザインターフェース１０９により画像自動補正処理が行う設定がなされている場合には、デジカメシステムコントローラ１１０は印刷装置２００のシステムコントローラ２０５へ自動補正を有効にする信号を送信する。
【００１４】
画像データ送信手段１０５および撮影データ送信手段１０６から送信された画像データおよび撮影データは、画像データ受信手段２０１および撮影データ受信手段２０４で受信され画像バッファ２０２に格納される。格納された画像は画像伸張手段２０３で伸張を展開され、自動画像補正が有効の場合には画像補正値決定手段２０６にて画像補正値を決定し、プリンタ用画像処理手段２０７にてプリント出力処理を行い印刷装置２０８にて印刷を行う。
【００１５】
また、前記撮影データ書き込み手段１０２により書き込まれるカメラ特性データには、一眼カメラのような交換レンズの情報も含まれる。そのレンズ情報の内容としては、名称・種類・設計値・ズームポジション・Ｆ値などの撮影データに加え、周辺光量落ちデータ・色収差情報といった特性データをも含む。着脱交換可能なレンズの場合には、レンズ自体が保持している情報をカメラを介してプリンタ側に転送することも可能とする。
【００１６】
また前記画像補正値決定手段２０６での補正値決定方法について説明する。
【００１７】
ここでの自動補正方法にも様々なものがあるが、ここではデジタル画像データからガンマ情報を取得した場合の自動明るさ補正について述べる。
【００１８】
まず３０２にて撮影データおよび画像データを取得する。取得した撮影データより自動補正を実行するかどうかの判定を３０３にて下す。実行する場合には、撮影データ（撮影データは、絞り、シャッタースピード、ＩＳＯ感度、Ｔｖ値、露出補正値、フラッシュ発光量、撮影シーン情報、測光重み情報、レンズによる周辺光量落ちデータもしくは光量落ち補正データ、レンズの光軸ずれ情報・ＭＴＦ（解像感）・画像ガンマ情報・カメラ調整値・レンズ特性、画像周辺色落ちデータもしくは画像周辺色落ち補正データ、メーカー・機種名・記録画素数・ファイル圧縮率、人物の顔位置情報、顔領域情報、着脱交換可能なレンズの名称またはレンズ種類またはレンズ特性情報、カメラ縦横センサ判別情報の少なくとも１つを含むｅｔｃ）より撮影時に実際に行った画像補正に関する情報と、シャッタースピードなど、そのときの撮影条件を取得する。
【００１９】
また、画像データに対する画質調整の目標値も取得する。
【００２０】
これにより、実際に行った補正状態と、目標とする補正状態の差を画像受信装置が認識できる。例えばプリンタでは、この差埋めるべく画像補正を行うことで、本来その画像に行うべきであった画像補正状態をより正確に反映させてプリントを行うことが出来る。
【００２１】
またこの目標値はフラッシュ発光時にはフラッシュ用の目標値に設定する。
【００２２】
撮影データ内に有る場合はそれを用いるが、撮影データ内に無い場合にはプリンタ側で任意に設定したフラッシュ用目標値を設定する。
【００２３】
なお、フラッシュ発光時には、非発光時よりも、目標値をある程度下げると良い。
【００２４】
なぜなら、発光時（例えば夜景時）には背景が暗いため、非発光時と同じ目標値にあわせようとすると過補正（明るくなりすぎる）になるからである。
【００２５】
撮影データを取得後に、撮影データ・画像データから自動補正の実行判別を行う。自動補正を行う場合、露出評価値△Ｅｘｐを取得する。露出評価値算出法の一例を述べると、まず撮影画像（ａ）をＹ値画像に変換し、これを任意の分割数の（ｂ）輝度ブロックＹ（Ｉ，Ｊ）に分割する。この画像輝度ブロックのブロック数と同ブロック数の（ｃ）画像重みＷ（Ｉ，Ｊ）を用意し、以下の式より画像の露出評価値を取得する。下式は一例であり、ｔａｒｇｅｔは目標値、ｘは対数の底である。
△Ｅｘｐ＝ｌｏｇｘ（Σ（Ｗ（Ｉ，Ｊ）×Ｙ（Ｉ，Ｊ））／ΣＷ（Ｉ，Ｊ）／ｔａｒｇｅｔ）
上記撮影時画像補正値ＨｏｓｅｉＥｘｐ・露出評価値△Ｅｘｐより３１０にて最終補正値Ｇａｉｎを算出する。以下の式は最終補正値Ｇａｉｎを決定するための一例である。
Ｇａｉｎ＝△Ｅｘｐ＋ＨｏｓｅｉＥｘｐ
この最終補正値を用いて、画像の補正処理を行う。
【００２６】
その際に線形性を持った画像データを復元する必要があるため、撮影データからその画像のガンマ情報が取得可能な場合には、取得したガンマ値にて逆ガンマ処理を行う。取得不可能な場合には、任意に設定したガンマ値にて逆ガンマ処理を行う。
【００２７】
画像の明るさ補正を行うには、まず４０２にて得られたガンマ情報より逆ガンマテーブルを作成する。そして作成された逆ガンマテーブルにて各ＲＧＢの逆ガンマ処理を行い、線形性を持った画像データを復元する。復元された画像データに対し、４０７にて上記算出された明るさ補正値Ｇａｉｎを各ＲＧＢに乗算する。次に明るさ補正された補正画像データに４０８ガンマ処理を行う。ここでは４０２にて得られたガンマ情報よりガンマテーブルを作成する。そして作成されたガンマテーブルにて各ＲＧＢのガンマ処理を行う。そして４０９にてＲＧＢデータをＹＵＶデータに変換し、４１０にてＹＵＶデータをＪＰＧデータに変換する。また４０２にてガンマ情報を取得できなかった場合には、４１２の設定ガンマ情報を用いた逆ガンマ処理を行う。ここでのガンマ情報には、あらかじめ設定されていたガンマ情報、例えばｓＲＧＢ空間対応の２．２のガンマ曲線を用いて逆ガンマテーブルを作成し、これにより逆ガンマ処理を行う。同様に４１４においてもあらかじめ設定されていたガンマ情報を用いてガンマテーブルを作成し、ガンマ処理を行う。
【００２８】
以上がＪＰＧのガンマ特性を考慮した補正方法の一例である。
【００２９】
また、プリンタは、上記の補正に加えて、インクの熱特性または色特性、紙の色情報、ヘッド特性のうちの少なくとも１つを含むプリンタ特性情報に応じて画像補正する様にしても良い。
【００３０】
以上、この発明の実施形態について図面を参照して詳述してきたが、具体的な構成はこの実施形態に限られるものではなく、この発明の要旨を逸脱しない範囲の設計等も含まれる。なお本実施例ではＣａｍｅｒａ−Ｐｒｉｎｔｅｒダイレクト接続時にユーザーにより画像補正処理が設定された場合のものであるが、ＰＣ−Ｐｒｉｎｔｅｒ接続、Ｃａｍｅｒａ−Ｐｒｉｎｔｅｒワイヤレス接続、ＰＣ−Ｐｒｉｎｔｅｒワイヤレス接続、Ｐｒｉｎｔｅｒ単体（メディア挿入時）に関してもその要旨を逸脱しないものとする。
【図面の簡単な説明】
【００３１】
【図１】本発明の第１実施形態におけるブロック図
【図２】本発明の第１実施形態における補正フロー図
【図３】本発明の第１実施形態における明るさ補正フロー図
【図４】本発明の第１実施形態における露出評価値取得図
【符号の説明】
【００３２】
１００  撮像装置
１０１  撮像手段
１０２  画像データ取得
１０３  撮影データ取得
１０４  撮影データ書き込み手段
１０５  画像記憶装置
１０６  画像バッファメモリ
１０７  画像データ送信手段
１０８  撮影データ送信手段
１０９  ユーザインターフェース
１１０  デジカメシステムコントローラ
１１１  画像伸張手段
１１２  表示手段
２００  印刷装置
２０１  画像データ受信手段
２０２  画像バッファメモリ
２０３  画像伸張手段
２０４  撮影データ受信手段
２０５  プリンタシステムコントローラ
２０６  画像補正値決定手段
２０７  プリンタ用画像処理手段
２０８  印刷手段
【図１】
2006231863.tif 000003
【図２】
2006231863.tif 000004
【図３】
2006231863.tif 000005
【図４】
2006231863.tif 000006